(57)【要約】【課題】被写体と蓄積性蛍光体パネルとを確実に対応させることができ、蓄積性蛍光体パネルから得られた放射線画像情報を支障なく処理する。【解決手段】画像撮影装置１４は、患者が所持するＩＤカード１７から患者ＩＤコードを含むＩＤカード情報を取得し、蓄積性蛍光体パネルに装着されたＩＣチップ２１に対してＩＤカード情報を記録する。ＩＤカード情報及び患者の放射線画像情報が記録された蓄積性蛍光体パネルを収納するカセッテ１８は、放射線画像情報読取装置１０に装填され、ＩＣチップ２１から取得した患者ＩＤコードに対応する患者情報及び撮影情報のＩＤ情報をコンソール２３から取得し、蓄積性蛍光体パネルから読み取った放射線画像情報に対して所望の画像処理を施した後、ＩＤ情報と関連させて放射線画像情報を表示出力し、保存する。【選択図】図２
2005266707.tif 000002
【特許請求の範囲】
【請求項１】
被写体の放射線画像情報を画像撮影装置により蓄積性蛍光体パネルに蓄積記録した後、前記放射線画像情報を放射線画像情報読取装置により読み取る放射線画像情報記録読取システムであって、
前記画像撮影装置は、前記被写体に係る被写体情報を前記蓄積性蛍光体パネルに付与する被写体情報付与部を備え、
前記放射線画像情報読取装置は、前記蓄積性蛍光体パネルに付与された前記被写体情報を読み取る被写体情報読取部と、前記蓄積性蛍光体パネルに蓄積記録された放射線画像情報を前記被写体情報に関連させて処理する放射線画像情報処理部とを備えることを特徴とする放射線画像情報記録読取システム。
【請求項２】
請求項１記載のシステムにおいて、
前記被写体情報付与部は、前記被写体が所持する被写体情報保持部材から前記被写体情報を取得して前記蓄積性蛍光体パネルに付与することを特徴とする放射線画像情報記録読取システム。
【請求項３】
請求項２記載のシステムにおいて、
前記被写体情報付与部は、前記被写体情報保持部材から非接触で前記被写体情報を取得して前記蓄積性蛍光体パネルに付与することを特徴とする放射線画像情報記録読取システム。
【請求項４】
請求項１記載のシステムにおいて、
前記蓄積性蛍光体パネルは、前記被写体情報を記憶する記憶素子を有することを特徴とする放射線画像情報記録読取システム。
【請求項５】
請求項１記載のシステムにおいて、
前記蓄積性蛍光体パネルは、カセッテに収納されて前記画像撮影装置に供給され、前記カセッテが前記被写体情報を記憶する記憶素子を有することを特徴とする放射線画像情報記録読取システム。
【請求項６】
請求項４又は５記載のシステムにおいて、
前記被写体情報読取部は、前記蓄積性蛍光体パネル又は前記カセッテに配設された前記記憶素子から非接触で前記被写体情報を読み取ることを特徴とする放射線画像情報記録読取システム。
【請求項７】
請求項４又は５記載のシステムにおいて、
前記記憶素子には、前記画像撮影装置に照射される放射線を遮蔽する遮蔽部材が配設されることを特徴とする放射線画像情報記録読取システム。
【請求項８】
請求項１記載のシステムにおいて、
前記放射線画像情報読取装置は、前記蓄積性蛍光体パネルに付与された前記被写体情報を消去する被写体情報消去部を有することを特徴とする放射線画像情報記録読取システム。
【発明の詳細な説明】
【技術分野】
【０００１】
本発明は、被写体の放射線画像情報を画像撮影装置により蓄積性蛍光体パネルに蓄積記録した後、前記放射線画像情報を放射線画像情報読取装置により読み取る放射線画像情報記録読取システムに関する。
【背景技術】
【０００２】
例えば、放射線（Ｘ線、α線、β線、γ線、電子線、紫外線等）を照射すると、この放射線エネルギの一部が蓄積され、その後、可視光等の励起光を照射すると、蓄積されたエネルギ強度に応じて輝尽発光を示す蓄積性蛍光体（輝尽性蛍光体）が知られている。
【０００３】
この蓄積性蛍光体を利用して、人体等の被写体の放射線画像情報を蓄積性蛍光体層を備えてなる蓄積性蛍光体パネルに一旦記録し、この蓄積性蛍光体パネルにレーザ光等の励起光を照射して得られる輝尽発光光を光電的に読み取って得られた画像信号に基づき、写真感光材料等の記録媒体、ＣＲＴ等の表示装置に被写体の放射線画像を可視像として出力させる放射線画像情報記録読取システムが採用されている。なお、放射線画像情報の読み取られた蓄積性蛍光体パネルは、消去光を照射することで残存する放射線エネルギを除去した後、再度、放射線画像情報の記録に供することができる。
【０００４】
ところで、このような放射線画像情報記録読取システムを採用した比較的規模の大きな病院においては、放射線画像情報を被写体情報である患者情報と対応させて管理するため、例えば、特許文献１又は２に開示されているようなシステムが構築されている。このシステムの概要を図９に従って説明する。
【０００５】
病院内には、医事情報を統括的に管理する医事情報システム（ＨＩＳ）１が設置される。医事情報システム１は、患者の氏名、性別、生年月日、患者ＩＤコード等の患者情報を管理するとともに、少なくとも前記患者ＩＤコードを記録したＩＤカード２を発行する機能を有する。
【０００６】
また、病院の放射線科には、ＣＴ（Computed Tomography）装置、ＭＲ（Magnetic Resonance）装置、ＣＲ（Computed Radiography）装置等の医用診断画像撮影装置によって処理される放射線画像情報を統括的に管理する放射線科情報システム（ＲＩＳ）３が設置される。
【０００７】
医師の指示によって放射線画像情報取得のオーダが発生すると、患者は、医事情報システム１によって発行された自分のＩＤカード２を所持して放射線科に移動する。放射線科の技師は、放射線科情報システム３のコンソールから、患者のＩＤカード２を用いて患者ＩＤコードを入力するとともに、医師の指示による放射線画像情報の撮影情報、例えば、撮影年月日、撮影部位、撮影方法等を入力する。患者ＩＤコードが入力された放射線科情報システム３は、医事情報システム１に対して、患者ＩＤコードに基づく必要な患者情報を医事情報システム１に要求し、医事情報システム１は、放射線科情報システム３に患者情報を供給する。
【０００８】
次に、技師は、患者の放射線画像情報を記録する蓄積性蛍光体パネルＩＰを選択し、それに付されたバーコード等からパネル識別コードを放射線科情報システム３に入力した後、当該蓄積性蛍光体パネルＩＰを画像撮影装置４に装填し、患者の放射線画像情報の撮影を行う。
【０００９】
放射線画像情報が蓄積記録された蓄積性蛍光体パネルＩＰは、放射線画像情報読取装置５に装填される。このとき、放射線画像情報読取装置５は、蓄積性蛍光体パネルＩＰに付されたバーコード等からパネル識別コードを取得し、放射線科情報システム３で読み込んだパネル識別コードに対応した患者情報及び撮影情報を放射線科情報システム３に要求する。放射線科情報システム３は、撮影に先だって入力された患者情報及び撮影情報をパネル識別コードから検索して放射線画像情報読取装置５に供給する。
【００１０】
放射線画像情報読取装置５は、蓄積性蛍光体パネルＩＰから放射線画像情報を読み取り、放射線科情報システム３から供給された撮影情報に基づく画像処理を施す。画像処理の施された放射線画像情報は、患者情報に応じて指定された所望の画像表示出力装置６に表示され、あるいは、フイルム等に出力されることで医師による診断に供せられる一方、患者情報と関連させて画像保存装置７に保存される。
【００１１】
このように構成される放射線画像情報記録読取システムでは、放射線科情報システム３において、複数の患者のＩＤカード２から患者ＩＤ番号を連続的に入力する作業を行うとともに、蓄積性蛍光体パネルＩＰを患者毎に選択してそのパネル識別コードを放射線科情報システムに入力する作業が行われる。
【００１２】
しかしながら、蓄積性蛍光体パネルＩＰを画像撮影装置４に装填する際、患者と蓄積性蛍光体パネルＩＰとを照合する処理が正確に行われないと、患者と蓄積性蛍光体パネルＩＰとが対応しない事態が発生するおそれがある。このような事態が生じた場合、患者情報と放射線画像情報とを正しく関連させることができなくなってしまう。また、例えば、蓄積性蛍光体パネルＩＰから得たパネル識別番号に従って放射線科情報システム３から取得した撮影情報が放射線画像情報に対応しないため、放射線画像情報に対して適切な画像処理を施すことができなくなってしまう。
【００１３】
一方、特許文献３には、蓄積性蛍光体パネルを収納するカセッテにＩＣメモリを配設し、このＩＣメモリに患者情報やパネル識別コードを記録しておき、放射線画像情報読取装置においてカセッテから患者情報やパネル識別コードを読み取って処理する方法が開示されている。
【００１４】
【特許文献１】特開２００２−１５７５８５号公報
【特許文献２】特開２００２−３０６４２５号公報
【特許文献３】特開平１１−３１１８４８号公報
【発明の開示】
【発明が解決しようとする課題】
【００１５】
しかしながら、特許文献３に開示された方法を図９に示す放射線画像情報記録読取システムに適用したとしても、カセッテに登録される患者情報が不適切な場合には、同様の問題が発生してしまう。
【００１６】
本発明は、この種の課題を解決するものであり、被写体と蓄積性蛍光体パネルとを確実に対応させることができ、蓄積性蛍光体パネルから得られた放射線画像情報を支障なく処理することのできる放射線画像情報記録読取システムを提供することを目的とする。
【課題を解決するための手段】
【００１７】
本発明に係る放射線画像情報記録読取システムでは、画像撮影装置に蓄積性蛍光体パネルを装填した際、被写体情報付与部により被写体情報を蓄積性蛍光体パネルに付与する。次いで、放射線画像情報が蓄積記録された蓄積性蛍光体パネルを放射線画像情報読取装置に装填した際、被写体情報読取部により蓄積性蛍光体パネルに付与された被写体情報を読み取り、放射線画像情報に関連させて処理する（請求項１記載の発明）。
【００１８】
この場合、被写体情報は、被写体が所持する被写体情報保持部材から取得して蓄積性蛍光体パネルに付与することができる（請求項２記載の発明）。なお、被写体情報保持部材を、例えば、ＲＦＩＤ等のＩＣカードで構成し、非接触の状態で被写体情報を取得可能とすれば、被写体情報保持部材を受け渡すことなく、被写体情報を蓄積性蛍光体パネルに付与することができる（請求項３記載の発明）。
【００１９】
被写体情報は、蓄積性蛍光体パネルに装着された記憶素子、あるいは、蓄積性蛍光体パネルが収納されるカセッテに装着された記憶素子に記憶させることができる（請求項４、５記載の発明）。なお、記憶素子から放射線画像情報読取装置の被写体情報読取部に対しても、ＲＦＩＤ等による非接触の状態で被写体情報を送信するようにしてもよい（請求項６記載の発明）。
【００２０】
記憶素子の放射線が照射される側に放射線遮蔽部材を配設することにより、記憶された被写体情報の破壊又は消失を好適に回避することができる（請求項７記載の発明）。
【００２１】
また、放射線画像情報読取装置には、蓄積性蛍光体パネルに付与された被写体情報を消去する被写体情報消去部を設けることにより、被写体情報及び放射線画像情報を読み取った後、当該蓄積性蛍光体パネルを再利用することができる（請求項８記載の発明）。
【００２２】
なお、蓄積性蛍光体パネルから被写体情報を消去しておくことにより、放射線画像情報が蓄積記録されていない未撮影の蓄積性蛍光体パネル、あるいは、被写体情報が未登録の蓄積性蛍光体パネルを放射線画像情報読取装置に装填した際、放射線画像情報の読取対象となっていない蓄積性蛍光体パネル等が装填されたことを報知し、ユーザの注意を喚起することが可能である。
【発明の効果】
【００２３】
本発明の放射線画像情報記録読取システムによれば、画像撮影装置において、被写体情報を画像撮影装置に装填された蓄積性蛍光体パネルに付与させることにより、被写体と蓄積性蛍光体パネルとを確実に対応させることができ、蓄積性蛍光体パネルから得られた放射線画像情報を被写体に間違えなく対応させ、支障なく処理することができる。
【発明を実施するための最良の形態】
【００２４】
図１は、本実施形態の放射線画像情報記録読取システムの全体構成図である。放射線画像情報記録読取システムは、病院内の放射線科に設置され、放射線画像情報を統括的に管理する放射線科情報システム（ＲＩＳ）１３を中心に構成される。放射線科情報システム１３の上位には、医事情報を統括的に管理する医事情報システム（ＨＩＳ）１５が接続される。なお、医事情報システム（ＨＩＳ）１５は、患者の氏名、性別、生年月日、患者ＩＤコード等の患者情報を管理するとともに、少なくとも前記患者ＩＤコードを記録したＩＤカード１７（被写体情報保持部材）を発行する機能を有する。この場合、ＩＤカード１７は、接触式の磁気カードや、ＲＦＩＤ（Radio Frequency ldentification）等の非接触式のＩＣカードとすることができる。
【００２５】
放射線科情報システム（ＲＩＳ）１３を構成するコンソール２３（図２）には、患者の放射線画像情報を撮影して蓄積性蛍光体パネルＩＰに記録する画像撮影装置１４と、蓄積性蛍光体パネルＩＰに蓄積記録された放射線画像情報を読み取る放射線画像情報読取装置１０とが接続される。コンソール２３からは、撮影年月日、撮影部位、撮影方法等の撮影情報を入力することができる。また、放射線画像情報読取装置１０には、読み取った放射線画像情報を医師による診断のために表示し、あるいは、必要に応じてフイルム等に出力する画像表示出力装置１６と、放射線画像情報を保存する画像保存装置１９とが接続される。
【００２６】
図３は、画像撮影装置１４及び放射線画像情報読取装置１０に装填される蓄積性蛍光体パネルＩＰ及びカセッテ１８の説明図である。カセッテ１８は、本体部１２の一端部に蓋体２８が開閉自在に配設されており、蓋体２８が開蓋されて蓄積性蛍光体パネルＩＰが収納可能に構成される。
【００２７】
蓄積性蛍光体パネルＩＰは、フレキシブルなパネルから構成され、後述するように、ＩＤカード１７から読み取った患者ＩＤコードを記憶するＲＦＩＤ等のＩＣチップ２１（記憶素子）が装着されている。ＩＣチップ２１には、画像撮影装置１４に蓄積性蛍光体パネルＩＰが装填された際、放射線がＩＣチップ２１に直接照射されて情報が破壊されることのないように、例えば、原子量が２０７以上の重元素からなる放射線遮蔽部材２２が蓄積性蛍光体パネルＩＰとＩＣチップ２１との間に配設される。
【００２８】
また、特定の蓄積性蛍光体パネルＩＰと特定のカセッテ１８とが必ず対応している場合には、カセッテ１８の蓋体２８側にＩＣチップ２１を装着してもよい。この場合、ＩＣチップ２１には、蓄積性蛍光体パネルＩＰの場合と同様に、放射線を遮蔽する放射線遮蔽部材２２を配設すると好適である。さらに、蓄積性蛍光体パネルＩＰは、放射線画像情報読取装置１０における搬送路を直線状に構成できる場合には、ガラス等の硬質材料からなる支持基板に柱状の蓄積性蛍光体層を蒸着して形成される硬質なパネルとすることもできる。
【００２９】
図４は、放射線画像情報読取装置１０の構成図である。放射線画像情報読取装置１０の上部には、蓄積性蛍光体パネルＩＰが収容されたカセッテ１８を装填する複数のカセッテ装填部２０ａ〜２０ｄが設けられる。放射線画像情報読取装置１０の内部には、カセッテ装填部２０ａ〜２０ｄに近接して、カセッテ１８から蓄積性蛍光体パネルＩＰを枚葉する一方、読取消去が完了した蓄積性蛍光体パネルＩＰをカセッテ１８に収納する枚葉収納部３０が配設される。
【００３０】
枚葉収納部３０には、装填されたカセッテ１８に収納されている蓄積性蛍光体パネルＩＰのＩＣチップ２１に対して情報の読み取り及び記録を行うＩＤ情報読取記録部３２ａ〜３２ｄと、蓋体２８が開放されたカセッテ１８内に進入自在な吸着盤３４ａ〜３４ｄと、この吸着盤３４ａ〜３４ｄにより吸着保持された蓄積性蛍光体パネルＩＰを受け取って搬送路４０に送り出す搬送ローラ対３６ａ〜３６ｄと、搬送路４０と選択されたカセッテ装填部２０ａ〜２０ｄとを接続する揺動可能なガイド板３９ａ〜３９ｄとを備える。
【００３１】
枚葉収納部３０に接続される搬送路４０は、複数組のローラ対３８を備えて下方に延在した後、水平方向に延在する。水平方向に延在する搬送路４０には、読取部５０が配設される。読取部５０は、蓄積性蛍光体パネルＩＰを副走査方向（矢印Ａ方向）に搬送する副走査搬送機構５２と、副走査方向に搬送される蓄積性蛍光体パネルＩＰの主走査方向（副走査方向と略直交する方向）に励起光であるレーザビームＬを照射する走査ユニット５４と、このレーザビームＬの照射によって蓄積性蛍光体パネルＩＰから生ずる輝尽発光光を光電的に読み取る読取ユニット５６ａ及び５６ｂとを備える。副走査搬送機構５２は、蓄積性蛍光体パネルＩＰを搬送する第１及び第２ローラ対６０、６２を備える。
【００３２】
副走査搬送機構５２の上部に配設される読取ユニット５６ａは、蓄積性蛍光体パネルＩＰにおけるレーザビームＬの走査位置に沿って一端部が配設される光ガイド９６ａと、光ガイド９６ａの他端部に装着されるフォトマルチプライヤ９８ａとを備え、蓄積性蛍光体パネルＩＰの上面から得られる輝尽発光光を集光する。
【００３３】
副走査搬送機構５２の下部に配設される読取ユニット５６ｂは、蓄積性蛍光体パネルＩＰにおけるレーザビームＬの走査位置に沿って一端部が配設される光ガイド９６ｂと、光ガイド９６ｂの他端部に装着されるフォトマルチプライヤ９８ｂとを備え、蓄積性蛍光体パネルＩＰが透明な支持体によって支持された両面読取タイプものである場合において、蓄積性蛍光体パネルＩＰの下面から得られる輝尽発光光を集光する。
【００３４】
搬送路４０は、読取部５０から上方向に延在した後、水平方向に延在して退避路５１に連通する。退避路５１は、読取部５０の上部に配設される消去搬送路５３を介して搬送路４０に連通する。消去搬送路５３には、複数本の消去用光源４６が配列された消去ユニット４２が配置される。消去ユニット４２と退避路５１との間には、放射線画像情報読取装置１０を制御する制御回路８０が配設される。
【００３５】
図５は、放射線科情報システム（ＲＩＳ）１３を構成するコンソール２３、コンソール２３に接続される画像撮影装置１４及び放射線画像情報読取装置１０の制御回路ブロック図である。
【００３６】
コンソール２３は、制御部１００によって制御されており、この制御部１００には、ＩＤカード１７に記録されている患者ＩＤコードを含むＩＤカード情報を読み取るカードリーダ１０２と、撮影情報を含む必要な情報を入力する入力部１０４と、患者情報及び撮影情報のＩＤ情報を記憶するＩＤ情報メモリ１０６とが接続される。また、コンソール２３は、医事情報システム（ＨＩＳ）１５、画像撮影装置１４及び放射線画像情報読取装置１０との間で必要な情報の授受を行うインタフェース（Ｉ／Ｆ）１０８、１１０及び１１２を有する。
【００３７】
画像撮影装置１４は、制御部１１４によって制御されており、制御部１１４には、患者のＩＤカード１７に記録されている患者ＩＤコードを読み取るカードリーダ１１６と、読み取った患者ＩＤコードに基づく患者名等の患者情報及び撮影情報を表示する表示部１１８と、画像撮影装置１４による撮影処理の制御を行う撮影制御部１２０と、コンソール２３のインタフェース（Ｉ／Ｆ）１１０を介して患者のＩＤ情報を取得するためのインタフェース（Ｉ／Ｆ）１２２と、装填されたカセッテ１８に収納されている蓄積性蛍光体パネルＩＰのＩＣチップ２１にＩＤ情報を記録するＩＤ情報記録部１２４（被写体情報付与部）とが接続される。
【００３８】
放射線画像情報読取装置１０は、制御部１２６によって制御されており、制御部１２６には、装填されたカセッテ１８に収納されている蓄積性蛍光体パネルＩＰのＩＣチップ２１から必要なＩＤ情報を読み取る一方、放射線画像情報の読取処理が完了した蓄積性蛍光体パネルＩＰのＩＣチップ２１に対して、必要な情報を記録し、あるいは、ＩＣチップ２１に記録されている不要なＩＤ情報を消去するＩＤ情報読取記録部３２ａ〜３２ｄ（被写体情報読取部、被写体情報消去部）が接続される。また、制御部１２６には、走査ユニット５４を制御する走査ユニット制御部１３０と、読取ユニット５６ａ及び５６ｂを制御する読取ユニット制御部１３２と、消去ユニット４２を制御する消去ユニット制御部１３４と、撮影情報に基づき、蓄積性蛍光体パネルＩＰから読み取った放射線画像情報に対する画像処理を行う画像処理部１３６（放射線画像情報処理部）とが接続される。さらに、放射線画像情報読取装置１０は、コンソール２３、画像表示出力装置１６及び画像保存装置１９との間で必要な情報の授受を行うインタフェース（Ｉ／Ｆ）１３８、１４０及び１４２を有する。
【００３９】
本実施形態の放射線画像情報記録読取システムは、基本的には以上のように構成されるものであり、次に、その動作について図６〜図８に示すフローチャートに従って説明する。
【００４０】
先ず、医事情報システム（ＨＩＳ）１５は、患者の氏名、性別、生年月日、患者を識別するための患者ＩＤコード等の患者情報を登録するとともに、患者ＩＤコードを含むＩＤカード情報を記録したＩＤカード１７を患者に対して発行する（図１（ａ））。医師による問診等により放射線画像情報を取得するためのオーダが発生すると、患者は、自分のＩＤカード１７を所持し放射線科に移動する。
【００４１】
放射線科の技師は、放射線科情報システム（ＲＩＳ）１３のコンソール２３を操作し、カードリーダ１０２を用いて患者が所持するＩＤカード１７から患者ＩＤコードを含むＩＤカード情報を読み取る（ステップＳ１、図１（ｂ））。また、技師は、コンソール２３の入力部１０４から、医師の指示に基づく撮影年月日、撮影部位、撮影方法等の撮影情報を入力する（ステップＳ２、図１（ｃ））。
【００４２】
放射線科情報システム（ＲＩＳ）１３は、ＩＤカード１７から取得した患者ＩＤコードを医事情報システム（ＨＩＳ）１５に送信し、患者の氏名を含む必要な患者情報を要求する（ステップＳ３、図１（ｄ））。医事情報システム（ＨＩＳ）１５は、送信された患者ＩＤコードに基づき、該当する患者情報を検索する。放射線科情報システム（ＲＩＳ）１３は、患者情報を医事情報システム（ＨＩＳ）１５から取得し（ステップＳ４、図１（ｅ））、患者情報と、ステップＳ２で入力された撮影情報とをＩＤ情報としてＩＤ情報メモリ１０６に登録する（ステップＳ５）。
【００４３】
なお、撮影情報は、医師により医事情報システム（ＨＩＳ）１５に登録されている場合、放射線科情報システム（ＲＩＳ）１３から技師が入力するのではなく、患者ＩＤコードに基づいて医事情報システム（ＨＩＳ）１５から取得することも可能である。
【００４４】
放射線科情報システム（ＲＩＳ）１３のコンソール２３を操作する技師は、放射線画像情報を取得する対象となる患者が複数有る場合、各患者のＩＤカード１７を用いて、ＩＤ情報の登録作業を繰り返す（ステップＳ６）。
【００４５】
次に、患者は、画像撮影装置１４に移動し、所持するＩＤカード１７に登録されているＩＤカード情報をカードリーダ１１６に読み取らせる。なお、ＩＤカード１７がＲＦＩＤ等の非接触で情報の読み取りを行うことができるＩＣカードからなる場合には、患者がＩＤカード１７を所持してさえいれば、ＩＤカード１７の読取処理を特別に意識しないでＩＤカード情報をカードリーダ１１６に読み取らせることができる。
【００４６】
カードリーダ１１６は、ＩＤカード１７を検出すると（ステップＳ１１）、登録されているＩＤカード情報を読み取り（ステップＳ１２、図１（ｆ））、ＩＤカード情報に含まれる患者ＩＤコードを放射線科情報システム（ＲＩＳ）１３に送信し、必要なＩＤ情報を要求する（ステップＳ１３、図１（ｇ））。放射線科情報システム（ＲＩＳ）１３は、送信された患者ＩＤコードに基づき、ＩＤ情報メモリ１０６から該当するＩＤ情報を検索し、画像撮影装置１４に送信する。画像撮影装置１４は、ＩＤ情報を取得し（ステップＳ１４、図１（ｈ））、その内容を表示部１１８に表示する（ステップＳ１５）。
【００４７】
技師及び／又は患者は、表示部１１８に表示された患者情報及び撮影情報を確認する（ステップＳ１６、Ｓ１７）。この場合、例えば、表示された患者名と患者が一致しないときには、患者が所持するＩＤカード１７又は登録されている患者情報に問題のある可能性がある。また、表示された撮影情報が医師の指示と異なっているときには、コンソール２３から入力された撮影情報に間違いのある可能性がある。このような不具合が確認された場合には、必要に応じて患者情報を修正した適切な患者のＩＤカード１７の読み取り、ＩＤ患者情報及び撮影情報を再度確認する（ステップＳ１６、１７）。また、患者情報は正しいが撮影情報に間違いがある場合には、放射線科情報システム（ＲＩＳ）１３のコンソール２３に対して正しい撮影情報を要求する（ステップＳ１８）。技師は、この要求に従い、撮影情報を入力して修正を行う。
【００４８】
なお、例えば、医事情報システム（ＨＩＳ）１５及び放射線科情報システム（ＲＩＳ）１３を介して、医師からのオーダの順に従ってＩＤ情報を画像撮影装置１４の表示部１１８に表示するような場合、カードリーダ１１６から読み取った患者ＩＤコードと、画像撮影装置１４に放射線科情報システム（ＲＩＳ）１３から送信されているＩＤ情報の患者ＩＤコードとが一致しないとき、放射線科情報システム（ＲＩＳ）１３のコンソール２３又は画像撮影装置１４において警告を発するようにすることも可能である。
【００４９】
患者情報及び撮影情報が共に正しいものであることが確認されると、技師は、表示部１１８に表示された撮影情報に対応する蓄積性蛍光体パネルＩＰを収納したカセッテ１８を画像撮影装置１４に装填し（ステップＳ１９、図１（ｉ））、撮影情報に応じた放射線画像情報の撮影を行う（ステップＳ２０）。
【００５０】
撮影が終了すると、ＩＤ情報記録部１２４は、蓄積性蛍光体パネルＩＰに装着されたＩＣチップ２１に対して、ステップＳ１４で取得した当該患者の患者ＩＤコードを含むＩＤカード情報を記録する（ステップＳ２１、図１（ｊ））。この場合、ＩＣチップ２１に記録されたＩＤカード情報と、蓄積性蛍光体パネルＩＰに蓄積記録された放射線画像情報に係る患者とが完全に一致する。
【００５１】
なお、ＩＣチップ２１には、患者情報及び撮影情報の全てのＩＤ情報を記録してもよい。また、放射線科情報システム（ＲＩＳ）１３から画像処理条件を取得してＩＣチップ２１に記録し、放射線画像情報読取装置１０での画像処理に利用できるようにしてもよい。
【００５２】
次に、技師は、放射線画像情報が蓄積記録された蓄積性蛍光体パネルＩＰを収納したカセッテ１８を画像撮影装置１４から取り出し、放射線画像情報読取装置１０のカセッテ装填部２０ａ〜２０ｄの１つに装填する（ステップＳ３１）。
【００５３】
カセッテ１８が装填されると、枚葉収納部３０に配設されたＩＤ情報読取記録部３２ａ〜３２ｄは、蓄積性蛍光体パネルＩＰに装着されたＩＣチップ２１からＩＤカード情報を読み取る処理を行う（ステップＳ３２）。なお、ＩＣチップ２１が装着されていない蓄積性蛍光体パネルＩＰ、又は、ＩＣチップ２１にＩＤカード情報が登録されていない蓄積性蛍光体パネルＩＰであった場合には、コンソール２３に対してＩＤカード情報を要求する（ステップＳ３３）。
【００５４】
ＩＣチップ２１又はコンソール２３からＩＤカード情報を取得すると（ステップＳ３４、図１（ｋ））、放射線画像情報読取装置１０は、そのＩＤカード情報に含まれる患者ＩＤコードに基づき、放射線科情報システム（ＲＩＳ）１３に対して撮影情報を要求する（ステップＳ３５、図１（ｍ））。放射線科情報システム（ＲＩＳ）１３は、放射線画像情報読取装置１０から送信された患者ＩＤコードに基づき、ＩＤ情報メモリ１０６から該当する撮影情報を検索し、放射線画像情報読取装置１０に送信する。放射線画像情報読取装置１０は、撮影情報を取得した後（ステップＳ３６、図１（ｎ））、蓄積性蛍光体パネルＩＰに蓄積記録されている放射線画像情報の読取処理を開始する（ステップＳ３７）。
【００５５】
そこで、図示しない開蓋機構がカセッテ１８の蓋体２８を開蓋した後、枚葉収納部３０の吸着盤３４ａ〜３４ｄがカセッテ１８内に移動し、この吸着盤３４ａ〜３４ｄにより蓄積性蛍光体パネルＩＰが吸着保持される。蓄積性蛍光体パネルＩＰは、吸着盤３４ａ〜３４ｄによってカセッテ１８から取り出され、搬送ローラ対３６ａ〜３６ｄに供給される。
【００５６】
搬送ローラ対３６ａ〜３６ｄは、蓄積性蛍光体パネルＩＰを挟持し、ガイド板３９ａ〜３９ｄを介して搬送路４０に供給する。搬送路４０は、複数のローラ対３８の回転作用下に蓄積性蛍光体パネルＩＰを鉛直下方向に向かって搬送し、読取部５０を構成する副走査搬送機構５２に供給する。
【００５７】
副走査搬送機構５２では、蓄積性蛍光体パネルＩＰが第１及び第２ローラ対６０、６２に挟持されて矢印Ａ方向（水平方向）に副走査搬送される一方、走査ユニット５４からレーザビームＬが導出される。このレーザビームＬは、蓄積性蛍光体パネルＩＰを主走査する。レーザビームＬの照射により蓄積性蛍光体パネルＩＰから得られた輝尽発光光は、光ガイド９６ａ及び９６ｂを介してフォトマルチプライヤ９８ａ及び９８ｂにより光電的に読み取られる。
【００５８】
画像処理部１３６は、ステップＳ３６で取得した撮影情報に画像処理条件の指定がある場合（ステップＳ３８）、読み取られた放射線画像情報に対して画像処理条件に従った画像処理を施す（ステップＳ３９）。なお、ＩＤカード１７に患者情報及び撮影情報からなる全てのＩＤ情報を記憶させておき、ＩＤ情報読取記録部３２ａ〜３２ｄによりこのＩＤ情報をＩＤカード１７から読み取るようにすれば、放射線科情報システム（ＲＩＳ）１３から撮影情報を取得することなく、所望の処理を行うことができる。
【００５９】
次いで、放射線画像情報読取装置１０は、必要に応じて画像処理された放射線画像情報を、ＩＤ情報に出力先の指定がある場合には、その出力先の画像表示出力装置１６に表示し、あるいは、フイルム等に出力し、医師による診断が行われる（ステップＳ４０、図１（ｏ））。また、この放射線画像情報は、画像保存装置１９に送信され、保存される（ステップＳ４１、図１（ｐ））。
【００６０】
一方、放射線画像情報の読み取りが終了した蓄積性蛍光体パネルＩＰは、上方向に延在する搬送路４０を介して一旦退避路５１に搬送された後、戻されて消去搬送路５３に搬入される。消去ユニット４２は、消去搬送路５３を矢印Ｂ方向に搬送される蓄積性蛍光体パネルＩＰに対して消去用光源４６から消去光を照射し、蓄積性蛍光体パネルＩＰに残存する放射線画像情報を消去する（ステップＳ４２）。
【００６１】
消去後の蓄積性蛍光体パネルＩＰは、消去搬送路５３から搬送路４０に搬入された後、選択されたガイド板３９ａ〜３９ｄの１つを介して枚葉収納部３０によりカセッテ１８に戻される。
【００６２】
このとき、ＩＤ情報読取記録部３２ａ〜３２ｄは、蓄積性蛍光体パネルＩＰのＩＣチップ２１に記録されているＩＤカード情報の消去処理を行う（ステップＳ４３）。なお、ＩＣチップ２１に対して、蓄積性蛍光体パネルＩＰから読み取った放射線画像情報に基づいて算出した放射線照射量情報を記録しておき、蓄積性蛍光体パネルＩＰの劣化判断等の資料とすることもできる。
【００６３】
次いで、蓄積性蛍光体パネルＩＰを収納したカセッテ１８は、蓋体２８が閉じられた後、カセッテ装填部２０ａ〜２０ｄから排出される（ステップＳ４４）。なお、カセッテ１８に収納された蓄積性蛍光体パネルＩＰは、再び放射線画像情報の撮影処理に供せられる。
【図面の簡単な説明】
【００６４】
【図１】本実施形態の放射線画像情報記録読取システムの全体構成図である。
【図２】放射線科情報システム及びそれに接続される画像撮影装置及び放射線画像情報読取装置の具体的説明図である。
【図３】画像撮影装置及び放射線画像情報読取装置に装填される蓄積性蛍光体パネル及びカセッテの説明図である。
【図４】放射線画像情報読取装置の構成図である。
【図５】放射線科情報システム及びそれに接続される画像撮影装置及び放射線画像情報読取装置の制御回路ブロック図である。
【図６】放射線科情報システムにおける処理フローチャートである。
【図７】画像撮影装置における処理フローチャートである。
【図８】放射線画像情報読取装置における処理フローチャートである。
【図９】従来技術を説明するための放射線画像情報記録読取システムの全体構成図である。
【符号の説明】
【００６５】
１０…放射線画像情報読取装置  １３…放射線科情報システム（ＲＩＳ）
１４…画像撮影装置            １５…医事情報システム（ＨＩＳ）
１６…画像表示出力装置        １７…ＩＤカード
１８…カセッテ                １９…画像保存装置
２１…ＩＣチップ              ２２…放射線遮蔽部材
２３…コンソール              ３２ａ〜３２ｄ…ＩＤ情報読取記録部
４２…消去ユニット            ５０…読取部
１０２、１１６…カードリーダ  １０４…入力部
１２４…ＩＤ情報記録部        １３６…画像処理部
ＩＰ…蓄積性蛍光体パネル
【図１】
2005266707.tif 000003
【図２】
2005266707.tif 000004
【図３】
2005266707.tif 000005
【図４】
2005266707.tif 000006
【図５】
2005266707.tif 000007
【図６】
2005266707.tif 000008
【図７】
2005266707.tif 000009
【図８】
2005266707.tif 000010
【図９】
2005266707.tif 000011